(57)【要約】      （修正有）【課題】ブラシヘッド構造の使用が実用的であり、ネイルアートを効率良く行うことができるマニキュア容器用ブラシヘッド構造を提供する。【解決手段】ブラシヘッド構造の前端には、凸部１１が設けられる。凸部１１の端面には、ブラシ針１３を挿通する穿孔１２が形成される。穿孔１２は、ブラシヘッド構造の内チャンバと連通する。ブラシヘッド構造の内外には、刷毛棒１５が配設されて穿孔１２と連通し、刷毛棒１５の端部には刷毛１５１が設けられる。穿孔１２の上端部には、接着ユニット１４が注入される拡張した間隙空間１２１が形成される。ブラシ針１３を穿孔１２に挿通させ、接着ユニット１４を間隙空間１２１へ充満させると、ブラシ針１３とブラシヘッド構造とが堅固に組み合わされる。【選択図】図２
0003190813.tif 000002
【実用新案登録請求の範囲】
【請求項１】
ブラシヘッド構造を備えたマニキュア容器用ブラシヘッド構造であって、
ブラシヘッド構造の前端には凸部が設けられ、凸部の端面にはブラシ針を挿通する穿孔が形成され、穿孔はブラシヘッド構造の内チャンバと連通し、ブラシヘッド構造の内外には刷毛棒が配設されて穿孔と連通し、刷毛棒の端部には刷毛が設けられ、
穿孔の上端部には接着ユニットが注入される拡張した間隙空間が形成され、ブラシ針を穿孔に挿通させ、接着ユニットを間隙空間へ充満させると、ブラシ針とブラシヘッド構造とが堅固に組み合わされることを特徴とするマニキュア容器用ブラシヘッド構造。
【請求項２】
間隙空間は、上端部から内方へ向かって徐々に小さくなるテーパー状の逆錐形空間であることを特徴とする請求項１に記載のマニキュア容器用ブラシヘッド構造。
【請求項３】
穿孔の中段部は、引き込まれて形成されたストッパ壁を有することを特徴とする請求項１又は２に記載のマニキュア容器用ブラシヘッド構造。
【請求項４】
接着ユニットは樹脂であることを特徴とする請求項１に記載のマニキュア容器用ブラシヘッド構造。
【請求項５】
接着ユニットは接着剤であることを特徴とする請求項１に記載のマニキュア容器用ブラシヘッド構造。
【考案の詳細な説明】
【技術分野】
【０００１】
本考案は、マニキュア容器に関し、特に、マニキュア容器用ブラシヘッド構造に関する。
【背景技術】
【０００２】
化粧は、女性をより魅力的にすることができる上、社交上のマナーでもある。また女性の多くは爪を美しくするために、爪の表面にマニキュアを塗布し、爪に様々な彩色を施している。現在流行しているネイルアートは、爪に彩色を施す以外に、服装全体を引き立たせたり服装との統一感を生み出し、顔料の塗布により爪を美しくし、美感を全体的に高めることができた。またネイルアートの業者が次第に増えて業者間の競争が激しくなってきており、自らのマニキュア技術を徐々に高め、特に、ネイルアートの工具を使用することが非常に重要であるが、良く見かけるマニキュア容器のブラシヘッド構造は、図５に示すように、ブラシヘッド構造２０の上端部に設けられた凸部２１が、凸部２１から軸方向で組合穿孔２２に挿設され、ブラシ針２３が組立てられていた。このようなブラシヘッド構造２０は、組合穿孔２２内部に位置拘束効果を有する構造が全く無いため、ブラシ針２３を組合穿孔２２内に挿設させるだけで、ブラシ針２３はマニキュアを行う際、力を受けて徐々に内側に引き込まれ易く、ブラシ針２３が組合穿孔２２内へ引き込まれて凸部２１により覆われてしまうというブラシヘッド構造２０の使用上の欠点があった。
【０００３】
上述したようなネイルアート工具を使用する際の欠点を改善するために、図６に示すようなマニキュア容器用ブラシヘッド構造が従来市販されている。このようなマニキュア容器用ブラシヘッド構造は、ブラシヘッド構造３０の上端部に凸部３１が突設され、凸部３１を組合穿孔３２に挿設させてブラシ針３３の組立てを行うことができる。組合穿孔３２は、さらに端部が拡張されてストッパ空間３２１が形成される。ブラシ針３３は、ストッパ空間３２１に対応して拡張し、位置決め頭端３３１が形成されている。ブラシ針３３を組合穿孔３２と組み合わせると、位置決め頭端３３１を嵌合してストッパ空間３２１に位置拘束され、ブラシ針３３が引き込まれることを防ぐことができる上、ブラシ針３３を新しい物に交換することができるが、上述した従来技術の欠点が分かるが、ブラシ針３３は、交換した実用性を有し、組合穿孔３２は、ブラシ針３３が着脱可能なように孔状に形成される上、ネイルアートを実施する際に瓶本体を絞ると溶液が流れ出し、瓶本体を絞って発生する圧力によりブラシ針３３が組合穿孔３２から飛び出してネイルアートが失敗し、組合穿孔３２から溶液が一緒に噴出する虞があり、構造上好ましくなかった。
【考案の概要】
【考案が解決しようとする課題】
【０００４】
本考案の目的は、ブラシヘッド構造が穿孔上端部で間隙空間が拡張されて形成され、ブラシ針が穿孔に挿設された後、間隙空間に接着ユニットが充填されてブラシ針が接着され、ブラシ針が穿孔に位置拘束された状態となり、穿孔の中段部が引き込まれてストッパ壁が形成され、その底部がストッパ壁により位置拘束され、ブラシヘッド構造を使用する際、そのブラシ針は、ユーザが容器本体を押圧しても穿孔から押し出されることがない上、力を加えてネイルアートを行っても引き込まれる虞もなく、ブラシヘッド構造の使用が実用的であり、ネイルアートを効率良く行うことができるマニキュア容器用ブラシヘッド構造を提供することにある。
【図面の簡単な説明】
【０００５】
【図１】本考案の第１実施形態に係るマニキュア容器用ブラシヘッド構造を示す分解斜視図である。
【図２】本考案の第１実施形態に係るマニキュア容器用ブラシヘッド構造を示す断面図及び部分断面図である。
【図３】本考案の第２実施形態に係るマニキュア容器用ブラシヘッド構造を示す部分断面図である。
【図４】本考案の第３実施形態に係るマニキュア容器用ブラシヘッド構造を示す部分拡大図である。
【図５】従来技術のマニキュア容器用ブラシヘッド構造を示す断面図である。
【図６】従来技術のもう一つの、マニキュア容器用ブラシヘッド構造を示す部分拡大図である。
【考案を実施するための形態】
【０００６】
（第１実施形態）
図１及び図２を参照する。図１及び図２に示すように、本考案の第１実施形態に係るマニキュア容器用ブラシヘッド構造は、少なくともブラシヘッド構造１０から構成される。ブラシヘッド構造１０の前端には、凸部１１が設けられている。凸部１１の端面には、ブラシ針１３を挿通する穿孔１２が形成されている。穿孔１２の上端部には、接着ユニット１４を注入するために用いる間隙空間１２１が拡張されて形成されている。接着ユニット１４は、樹脂又は接着剤でもよく、穿孔１２とブラシヘッド構造１０の内チャンバとが連通し、ブラシヘッド構造１０の内外には、刷毛棒１５が配設されて穿孔１２と連通し、刷毛棒１５の端部には刷毛１５１が設けられている。
【０００７】
図１及び図２を参照する。図１及び図２に示すように、ブラシヘッド構造１０の穿孔１２の上端部には、拡張した間隙空間１２１が形成され、ブラシ針１３を穿孔１２に挿設し、穿孔１２の上端部の間隙空間１２１内へ接着ユニット１４を注入し、接着ユニット１４を間隙空間１２１へ充満させると位置拘束され、ブラシ針１３とブラシヘッド構造１０とを堅固に組み合わせてマニキュア容器用ブラシヘッド構造を完成させる。
【０００８】
（第２実施形態）
図３を参照する。図３に示すように、本考案の第２実施形態に係るマニキュア容器用ブラシヘッド構造の間隙空間１２１は、穿孔１２の上端部から内方へ向かって徐々に小さくなるテーパー状の逆錐形空間であり、ブラシ針１３を穿孔１２へ挿設する際、ブラシ針１３が逆錐形状の間隙空間１２１により案内され、ブラシ針１３の組立てを正確に行う。
【０００９】
（第３実施形態）
図４を参照する。図４に示すように、本考案の第３実施形態に係るマニキュア容器用ブラシヘッド構造は、穿孔１２の中段部が引き込まれて形成されたストッパ壁１２２を有する。ブラシ針１３が穿孔１２に挿設されると、ストッパ壁１２２により位置拘束され、ブラシ針１３が穿孔１２に沿って引き込まれるため、実用的である。
【００１０】
上述したことから分かるように、本考案のマニキュア容器用ブラシヘッド構造は、以下の効果を得ることができる。ブラシヘッド構造１０は、穿孔１２上端部で拡張されて形成された間隙空間１２１を有する。ブラシ針１３が穿孔１２に挿設された後、間隙空間１２１に接着ユニット１４が充填されてブラシ針１３に接着され、ブラシ針１３が穿孔１２に位置拘束された状態となる。穿孔１２の中段部は引き込まれてストッパ壁１２２が形成される。ブラシ針１３は、穿孔１２に挿設されると、その底部がストッパ壁１２２により位置拘束される。ブラシヘッド構造を使用する際、そのブラシ針１３は、ユーザが容器本体を押圧しても穿孔１２から押し出されることがない上、力を加えてネイルアートを行っても引き込まれる虞がないため、ブラシヘッド構造１０を実用的に使用し、ネイルアートを効率良く行うことができる。
【符号の説明】
【００１１】
１０  ブラシヘッド構造
１１  凸部
１２  穿孔
１３  ブラシ針
１４  接着ユニット
１５  刷毛棒
２０  ブラシヘッド構造
２１  凸部
２２  組合穿孔
２３  ブラシ針
３０  ブラシヘッド構造
３１  凸部
３２  組合穿孔
３３  ブラシ針
１２１  間隙空間
１２２  ストッパ壁
１５１  刷毛
３２１  ストッパ空間
３３１  位置決め頭端
【図１】
0003190813.tif 000003
【図２】
0003190813.tif 000004
【図３】
0003190813.tif 000005
【図４】
0003190813.tif 000006
【図５】
0003190813.tif 000007
【図６】
0003190813.tif 000008